(57)【要約】【課題】マルチウィンドウファイル再生装置、マルチウィンドウファイル編集装置及びその方法を提供する。【解決手段】複数の異なるフォーマットのファイルを編集するために、マルチウィンドウを含むセッションを備える。セッションと、ウィンドウと、ファイルとを結合し、マルチウィンドウ編集ファイル又はマルチウィンドウ再生ファイルを出力することができる。マルチウィンドウ編集ファイルは、本発明のマルチウィンドウファイル編集装置にローディングして、編集を行うことができる。マルチウィンドウ再生ファイルは本発明のマルチウィンドウファイル再生装置にローディングして、再生を行うことができる。【選択図】図１
2010198588.tif 000002
【特許請求の範囲】
【請求項１】
複数の異なるファーマットのファイルを編集するマルチウィンドウファイル編集装置において、
マルチウィンドウテンプレートに基づいて、複数のウィンドウからなるセッションを少なくとも一つ以上に生成するウィンドウ生成ユニットと、
いずれかの前記複数のファイルをいずれかの前記複数のウィンドウにローディングするファイルローディングユニットと、
操作インターフェスを提供し、前記複数のウィンドウを介して、前記複数のファイルの内容編集動作を行う編集ユニットと、
セッションと、マルチウィンドウと、複数ファイルとを結合し、マルチウィンドウファイルを生成する出力ユニットを備えたことを特徴とするマルチウィンドウファイル編集装置。
【請求項２】
前記フォーマットは少なくともプレゼンテーションフォーマットと、文書ファイル形式と、画像ファイル形式と、ビデオ／オーディオファイル形式又はブラウザーファイル形式のいずれかを含むことを特徴とする請求項１記載のマルチウィンドウファイル編集装置。
【請求項３】
前記セッションは少なくともＮ×Ｍウィンドウからなるアレイを含み、ＮとＭは１より大きい又は等しい整数値であり、Ｎ×Ｍの積は１より大きい整数値であることを特徴とする請求項１記載のマルチウィンドウファイル編集装置。
【請求項４】
設定ユニットを含み、前記セッションと前記複数のウィンドウの再生に関連するパラメータを含めることを特徴とする請求項１記載のマルチウィンドウファイル編集装置。
【請求項５】
前記パラメータは、少なくとも前記セッションと前記複数のウィンドウが再生される際の位置、サイズ及び順序のうち少なくとも一つを含むことを特徴とする請求項４記載のマルチウィンドウファイル編集装置。
【請求項６】
リンクユニットを含み、異なる複数のウィンドウ又は異なる複数のセッションの任意組み合わせの間のリンク動作を設定することができることを特徴とする請求項１記載のマルチウィンドウファイル編集装置。
【請求項７】
前記リンク動作はトリガー信号により、動作焦点を現在動作しているウィンドウ又はセッションから、リンク目的とするウィンドウ又はセッションに切り換えることを特徴とする請求項６記載のマルチウィンドウファイル編集装置。
【請求項８】
前記異なる複数のウィンドウ又は異なる複数のセッションの間のリンク関係は、少なくともシリアル接続リンク関係、パラレル接続リンク関係、ツリー構造リンク関係又はネットワーク構造リンク関係を含むことを特徴とする請求項６記載のマルチウィンドウファイル編集装置。
【請求項９】
前記マルチウィンドウファイルは、マルチウィンドウ編集ファイル又はマルチウィンドウ再生ファイルであることを特徴とする請求項１記載のマルチウィンドウファイル編集装置。
【請求項１０】
複数種類、かつ異なるフォーマットのファイルに適用するマルチウィンドウファイル編集方法において、
マルチウィンドウテンプレートに基づいて、少なくとも一つ以上のセッションを生成するプロセスと、
前記複数のファイルのいずれかのファイルを前記複数のウィンドウのいずれかのウィンドウにローディングするプロセスと、
操作インターフェスにより、前記複数のウィンドウを介して、前記複数のファイルの各ファイルに対する内容編集動作を行うプロセスと、
前記セッションと、前記複数のウィンドウと、前記複数のファイルとを結合し、マルチウィンドウファイルを生成するプロセスと、
前記セッションは前記複数のウィンドウからなることを特徴とするマルチウィンドウファイル編集方法。
【請求項１１】
前記フォーマットは少なくともプレゼンテーションフォーマットと、文書ファイル形式と、画像ファイル形式と、ビデオ／オーディオファイル形式又はブラウザーファイル形式のいずれかを含むことを特徴とする請求項１０記載のマルチウィンドウファイル編集方法。
【請求項１２】
前記セッションは少なくともＮ×Ｍウィンドウからなるアレイを含み、ＮとＭは１より大きい又は等しい整数値であり、Ｎ×Ｍの積は１より大きい整数値であることを特徴とする請求項１０記載のマルチウィンドウファイル編集方法。
【請求項１３】
さらに、前記セッションと前記複数のウィンドウの再生に関連するパラメータをそれぞれ設定するプロセスを含むことを特徴とする請求項１０記載のマルチウィンドウファイル編集方法。
【請求項１４】
前記パラメータは、少なくとも前記セッションと前記複数のウィンドウが再生される際の位置、サイズ及び順序のうち少なくとも一つを含むことを特徴とする請求項１３記載のマルチウィンドウファイル編集方法。
【請求項１５】
さらに、異なる複数のウィンドウ又は異なる複数のセッションの任意組み合わせの間にリンク動作を行うことを特徴とする請求項１０記載のマルチウィンドウファイル編集方法。
【請求項１６】
前記リンク動作はトリガー信号により、動作焦点を現在動作しているウィンドウ又はセッションから、リンク目的とするウィンドウ又はセッションに切り換えることを特徴とする請求項１５記載のマルチウィンドウファイル編集方法。
【請求項１７】
前記異なる複数のウィンドウ又は異なる複数のセッションの間のリンク関係は、少なくともシリアル接続リンク関係、パラレル接続リンク関係、ツリー構造リンク関係又はネットワーク構造リンク関係を含むことを特徴とする請求項１５記載のマルチウィンドウファイル編集方法。
【請求項１８】
前記マルチウィンドウファイルは、マルチウィンドウ編集ファイル又はマルチウィンドウ再生ファイルであることを特徴とする請求項１０記載のマルチウィンドウファイル編集方法。
【請求項１９】
マルチウィンドウファイル再生装置において、
マルチウィンドウ再生ファイルをローディングするローディングユニットと、
前記マルチウィンドウ再生ファイルに含まれる、少なくとも一つ以上のセッションと、複数のウィンドウと複数のファイルを表示し、かつ前記マルチウィンドウ再生ファイルの再生パラメータに基づいて、前記複数のファイルの再生動作を行う再生ユニットを備えたことを特徴とするマルチウィンドウファイル再生装置。
【請求項２０】
前記再生パラメータは、少なくとも前記セッションと前記複数のウィンドウが再生される際の、位置、サイズ及び順序のうち少なくとも一つを含むことを特徴とする請求項１９記載のマルチウィンドウファイル再生装置。
【請求項２１】
前記再生ユニットはトリガー信号により、動作焦点を現在再生しているウィンドウ又はセッションからリンク目的とするウィンドウ又はセッションに切り換えることを特徴とする請求項１９記載のマルチウィンドウファイル再生装置。
【発明の詳細な説明】
【技術分野】
【０００１】
本発明は一種のマルチウィンドウファイル再生装置、マルチウィンドウファイル編集装置及びその方法に関し、特に一種の異なるフォーマットのファイル表示と編集が同時に可能なマルチウィンドウファイル編集装置及びその方法に関するものである。
【背景技術】
【０００２】
現在、コンピュータはすでに日常生活の一部分に溶け込まれている。一方、ウィンドウズ（登録商標）ＯＳにより、ビジュアル化の操作インターフェスを提供し、より一層コンピュータの操作性が向上されてくる。コンピュータの使用が普及化になるにつれて、ワープロソフトのワード、表計算ソフトのエクセル、プレゼンテーションソフトのパワーポイント、ビデオ／オーディオの再生機能を提供するＭｕlｔｉＭｅｄｉａ  Ｐｌａｙｅｒといったマイクロソフト社の様々なアプリケーションソフトは、増えてくる。これらのウィンドウズ（登録商標）アプリケーションソフトは、営業マンの資料プレゼンテーションや、教師の授業あるいは演説に用いたスライド、データーシートによる説明など、非常に重要な役割を担っている。
【発明の概要】
【発明が解決しようとする課題】
【０００３】
プレゼンテーション資料の複雑化に従い、使用されるソフトも一種類に限ることではなくなってくる。一例として、教師の演説にあたり、パワーポイントによる説明すると同時に、エクセルによる計算表資料で説明しようとする内容を説明のサポートする、又は記録映画で聴衆に印象づけしなければならない。ウィンドウズ（登録商標）ＯＳは複数のアプリケーションソフトを同時に表示できるが、演説者がマルチウィンドウの位置、サイズと動作焦点（ｆｏｃｕｓ）を自分で操作必要がある。そのため、演説者は演説内容の集中力に影響を与えるため、演説の品質を低下させてしまう。このほか、説明者は説明の時間制限、聴衆対象、又は現場状況に応じて、説明資料の内容と順番を調整する必要がある。従来のプレゼンテーションシステムは、線形シリアル接続の構成が採用されているため、演説者が予定した順番を変える場合は、スライドの間に頻繁に切り換えるにつれて、聴衆の集中力に影響を与えてしまうばかりでなく、説明の品質も低下しかねない。
【０００４】
前記のワード、パワーポイント、又はエクセルといったウィンドウズ（登録商標）アプリケーションソフトは同時にマルチウィンドウを開始して、それぞれの内容編集することが提供されているが、ただし、同時に同じフォーマットのファイルの編集しかできないし、その上、単一ウィンドウ内の内容は単一ファイルに保存することしかできない。そのため、使用者は関連の違うフォーマットの複数ファイルを随時に整備しなければならず、作業効率へ影響を与えることとなる。
【０００５】
本発明人は公知技術の様々な解決すべく、上述の課題を鑑みて、長年にわたって、ウィンドウズ（登録商標）アプリケーションソフトの技術分野における研究開発と数多く実務経験に基づいて、一種のマルチウィンドウファイル再生装置、マルチウィンドウファイル編集装置及びその方法を発明し提供することによって、前記した欠点を改善した。
【課題を解決するための手段】
【０００６】
ファイルの編集とプレゼンテーションの効率を向上できる、一種のマルチウィンドウファイル再生装置、マルチウィンドウファイル編集装置及びその方法を提供することを本発明の主な目的とする。
【０００７】
本発明の目的の１つは、マルチウィンドウテンプレートにより、少なくとも１つ以上のマルチウィンドウを有するセッションを生成し、各ウィンドウともファイルをローディングでき、それに対して表示と編集を行うことができるの一種のマルチウィンドウファイル編集装置及びその方法を提供することである。前記セッションは、Ｎ×Ｍウィンドウからなるアレイを含め、ＮとＭとは１より大きいかまた等しい整数値であり、Ｎ×Ｍの積は１より大きい整数値である。
【０００８】
本発明はさらに少なくとも１つ以上のセッションと、マルチウィンドウと、複数ファイルとも結合し、使用者の要望に応じてマルチウィンドウファイルを出力する、一種のマルチウィンドウファイル編集装置を提供する。これらのマルチウィンドウファイルはマルチウィンドウ編集ファイルであり、マルチウィンドウファイル編集装置にローディングし、ファイルの再編集を行う。これらのマルチウィンドウファイルはマルチウィンドウ再生ファイルであってもよい、本発明のマルチウィンドウファイル再生装置にローディングし、表示と再生を行う。このほか、本発明のマルチウィンドウファイル編集装置は、マルチウィンドウファイルの再生動作を行うことも可能である。
【０００９】
さらに、本発明のマルチウィンドウファイル編集装置及びその方法において、異なるマルチウィンドウ又は異なる複数セッションのリンク動作を設定することができる。マルチウィンドウファイル再生装置でマルチウィンドウ再生ファイルを再生するときは、トリガー信号により、動作焦点（ｆｏｃｕｓ）を現在の操作ウィンドウ又はセッションからリンク目的とするウィンドウ又はセッションに切り換えることができる。
【００１０】
また、本発明のマルチウィンドウファイル編集装置及びその方法において、該セッションと該マルチウィンドウを再生する際の位置、サイズ（ｓｉｚｅ）及び順序のうち少なくとも１つといった、該セッションと該ウィンドウの再生に関連するパラメータを設定することができる。
【発明の効果】
【００１１】
前記説明の通り、本発明のマルチウィンドウファイル再生装置、マルチウィンドウファイル編集装置及びその方法は、以下の長所を有する。
【００１２】
（イ）該マルチウィンドウファイル編集装置及びその方法は、複数のセッション（ｓｅｓｓｉｏｎ）を提供でき、各セッションはマルチウィンドウを備え、使用者による複数種類、かつ異なるフォーマットのファイルを操作ウィンドウにローディングでき、表示と編集を行う。それぞれの操作ウィンドウにおいて、様々なフォーマットのファイルを同時に表示し、ファイル編集の便利性を向上できる。
【００１３】
（ロ）該マルチウィンドウファイル編集装置及びその方法は、複数セッションとマルチウィンドウの構造を使用者の要望に応じて、編集可能なマルチウィンドウファイル又はマルチウィンドウ再生ファイルに保存することができる。これにより、ファイル運用の柔軟性を向上できる。
【００１４】
（ハ）該マルチウィンドウファイル編集装置及びその方法は、使用者に複数ファイルの分類機能を提供し、対応する技術分野に従いそれぞれのセッションに配置できるほか、複数のセッションはシリアル接続、パラレル接続、ツリー構造又はネットッワーク構造でリンクすることができる。これにより、知識データベースの効率を向上できる。
【００１５】
（ニ）該マルチウィンドウファイル再生装置及びその方法において、複数の異なるファイル形式を同時に表示でき、かつウィンドウの位置、サイズ及び再生順序ともあらかじめ設定することができる。これにより、使用者のプレゼンテーション効率を向上できる。
【図面の簡単な説明】
【００１６】
【図１】本発明によるマルチウィンドウファイル編集装置の実施態様図である。
【図２】図２Ａは、本発明によるマルチウィンドウ表示の参考例、図２Ｂは、本発明によるもう一つマルチウィンドウ表示の参考例である。
【図３】本発明によるマルチウィンドウファイル編集方法の実施例の操作プロセス流れ図である。
【図４】本発明によるマルチウィンドウファイル再生装置の実施態様図である。
【図５】本発明によるさらにもう一つマルチウィンドウ表示の参考例である。
【発明を実施するための形態】
【００１７】
以上に説明した本発明で使用する技術特徴及びその効果について、好ましい実施の形態をさらに明確化するために、添付図面を参照して本発明によるマルチウィンドウファイル編集装置及びその方法とマルチウィンドウファイル再生装置及びその方法の好ましい実施例を以下に詳細説明する。
【００１８】
図１は、本発明によるマルチウィンドウファイル編集装置の実施態様図である。この図において、マルチウィンドウファイル編集装置１により複数のファイル１７を編集する。該装置はウィンドウ生成ユニット１０と、ファイルローディングユニット１１と、編集ユニット１２と、出力ユニット１３とを含める。ウィンドウ生成ユニット１０はマルチウィンドウテンプレート１４に基づいて、一つ以上のセッション（ｓｅｓｓｉｏｎ）１５を生成し、該セッションは複数のウィンドウ１６からなる。ファイルローディングユニット１１はいずれの当該ファイル１７をいずれの当該ウィンドウ１６にローディングする。例えば、左上隅のウィンドウはワードファイルを、右上隅のウィンドウはパワーポイントファイルをローディングすることができる。マルチウィンドウテンプレート１４は、あらかじめ設計されたセッションの常用ウィンドウ配置データである。
【００１９】
編集ユニット１２より操作インターフェスを提供し、当該ウィンドウ１６を介して、各ファイル１７の内容編集動作を行う。出力ユニット１３はセッション１５を結合し、当該ウィンドウ１６と当該ファイル１７は使用者の要望に応じて、マルチウィンドウファイルを生成する。マルチウィンドウファイルはマルチウィンドウ編集ファイル１８であり、使用者は他の時間にマルチウィンドウファイル編集装置１にマルチウィンドウファイルをローディングした上、再編集を行う。このほか、マルチウィンドウファイルはマルチウィンドウ再生ファイル１９であってもよい。使用者は他の時間にマルチウィンドウファイル再生装置にマルチウィンドウファイルをローディングし、再生を行うことができる。一方、マルチウィンドウファイル編集装置１はマルチウィンドウファイルを編集する機能を提供するほか、マルチウィンドウファイルを再生する機能も提供できるため、使用者は即時にファイルの再生効果をテストすることができる。
【００２０】
複数のファイルは、それぞれ異なるフォーマットであってもよい。少なくともプレゼンテーションファイル形式（パワーポイントファイル形式など）、文書ファイル形式（ワード、エクセルファイル形式など）、画像ファイル形式（Ｂｍｐ、Ｇｉｆ又はＪｐｇファイル形式）、ビデオ／オーディオファイル形式（Ｗｍａ、Ｗｍｖ、Ｍｐｅｇ又はＡｖｉファイル形式など）若しくはブラウザーファイル形式（ｈｔｍｌファイル形式など）のいずれかを含んでもよい。ファイルローディングユニット１１はマウスを用いて、ファイルをウィンドウにドラッグするか、又はファイルを開く指令を入力することにより、ファイルをウィンドウにローディングする。
【００２１】
このほか、使用者は場合によって、それぞれのウィンドウテンプレート１４に従い、複数のセッションを生成することができる。例えば、図１に示すように、セッション１５とセッション１５１において、各セッションは少なくとも一つ以上のＮ×Ｍウィンドウからなるアレイ（ＮとＭは１より大きい又は等しい整数値であり、Ｎ×Ｍの積は１より大きい整数値）である。例えば、セッション１５は９つのウィンドウ１６からなる３×３アレイを含む。これに対して、セッション１５１は４つのウィンドウ１６１からなる２×２アレイを含む。また、図５に示すマルチウィンドウテンプレート５１の左上隅は一つの２×２ウィンドウアレイを含む。これらのすべては本発明に含まれる。
【００２２】
各ウィンドウは、異なるファイルをそれぞれローディングすることができる。そのほか、マルチウィンドウファイル編集装置１はさらに設定ユニットを含んでもよい。前記設定ユニットは該セッションと該ウィンドウが再生されるときの位置、サイズ（ｓｉｚｅ）又は順序といった該セッションと当該ウィンドウの再生に関連するパラメータを設定することができる。図２Ａに示す通り、ウィンドウ２１に対するトリガー信号を受信すると、表示画面を拡大して他のウィンドウを遮ることにより、ウィンドウ２１における内容をより一層はっきりと表示することができる。又は、図２Ｂに示す通り、ウィンドウ２３に対するトリガー信号を受信すると、表示画面を拡大して他のウィンドウを遮ることにより、ウィンドウ２３の内容をより一層はっきりを表示することができるし、上列と右列におけるウィンドウを保留して、使用者も参照として見られるような実施形態も可能である。ウィンドウ再生パラメータの設定により、使用者は複数のファイルを表示することに対して、最適化設定をすることができる。そのほか、使用者は複数のウィンドウ再生パラメータ組を設定することができる。例として、ウィンドウが第１回のトリガー信号を受信したときに、表示画面を拡大して他のウィンドウを遮り（図２Ｂに示す）、第２回のトリガー信号を受信したときに、表示画面を全画面サイズに拡大し（図２Ａに示す）、第３回のトリガー信号を受信したときに、従来位置とサイズに戻すような実施形態でも可能である。使用者はプレゼンテーション内容説明する状況によって、ウィンドウ再生パラメータを設定して、効率性を向上できる。
【００２３】
また、マルチウィンドウファイル編集装置１はさらに、リンクユニットを含めて、異なる複数のウィンドウ又は異なる複数のセッションの任意組み合わせの間のリンク動作を設定することができる。該リンク動作は、トリガー信号を受信することにより、動作焦点（ｆｏｃｕｓ）を現在の動作しているウィンドウ又はセッションから、別のリンク目的とするウィンドウ又はセッションに切り換えることができる。そのうち、異なる複数のウィンドウ又は複数のセッションを使用したリンク関係は、少なくともシリアル接続リンク関係、パラレル接続リンク関係、ツリー構造リンク関係又はネットワーク構造リンク関係を含んでもよい。前記トリガー信号は、例えば、特定された区域でのマウスのキー入力信号、又はキーボードからの入力するリンク指令である。
【００２４】
図３は、本発明のマルチウィンドウファイル編集方法の実施例の操作プロセス流れ図である。この図において、この方法を実行するには図１に示すマルチウィンドウファイル編集装置を使用し、以下のプロセスを含む。
【００２５】
プロセス３１は、ウィンドウ生成ユニット１０を使用し、マルチウィンドウテンプレートに基づいて、少なくとも一つ以上のセッションを生成し、該セッションは複数のウィンドウからなる。
【００２６】
プロセス３２は、ファイルローディングユニット１１を使用し、いずれかのファイルをいずれかのウィンドウにローディングする。
【００２７】
プロセス３３は、編集ユニット１２の操作インターフェスにより、ウィンドウを介して、各ファイルの内容編集動作を行う。
【００２８】
プロセス３４は、出力ユニット１３を使用し、セッションと、複数ウィンドウと、複数ファイルとを結合し、マルチウィンドウファイルを生成する。
【００２９】
このほか、本発明のマルチウィンドウファイル編集方法はさらにセッションとウィンドウを再生する関連のパラメータを設定するというプロセスを含んでもよく、該パラメータは少なくとも該セッションと当該ウィンドウを再生するとき、位置、サイズと順序のうち少なくとも一つを含んでもよい。そして、本発明のマルチウィンドウファイル編集方法はさらに、異なる複数のウィンドウ又は異なる複数のセッションの任意組み合わせの間のリンク動作というプロセスを含んでもよい。マルチウィンドウファイルはマルチウィンドウ編集ファイルであり、使用者が、他の時間にマルチウィンドウファイル編集装置１にローディングした上、再編集を行うことが可能とある。マルチウィンドウファイルはマルチウィンドウ再生ファイルであってもよく、使用者が、他の時間にマルチウィンドウファイル再生装置にローディングして、再生を行うことができる。
【００３０】
図４は、本発明のマルチウィンドウファイル再生装置の実施態様図である。マルチウィンドウファイル再生装置４は、少なくとも一つ以上のファイルローディングユニット４１と一つの再生ユニット４３とを含んでもよい。ファイルローディングユニット４１が、マルチウィンドウ再生ファイル４２のローディングすることによって、該マルチウィンドウ再生ファイル４２に含まれる、少なくとも一つ以上のセッション４５と、マルチウィンドウ４６と、複数ファイルとを再生ユニット４３が読み込む。そして、該マルチウィンドウ再生ファイル４２の再生パラメータに基づいて、再生ユニット４３は当該ファイルの再生動作を行う。例えば、マルチウィンドウ再生ファイル４２に複数のセッションが含まれる場合には、再生ユニット４３は複数のセッションとそれらに含まれるウィンドウを同時に表示することが可能である。図４において、セッション４５と、セッション４５１と、ウィンドウ４６と、ウィンドウ４６１とを示す通り、前記再生パラメータは少なくともセッションとウィンドウを再生される際に、少なくとも一つ以上の位置、少なくとも一つ以上のサイズと順番を含んでもよい。一方、再生ユニット４３はトリガー信号により、動作焦点を現在再生されているウィンドウ又はセッションからあらかじめ設定されたリンク目的とするウィンドウ又はセッションに切り換えることができる。
【００３１】
以上は実施例の列挙であり、本発明になんらの制限を加わるものではない。本発明の精神と範囲を逸脱しない限り、その等効果修正又は変更は、なお、本明細書の特許請求範囲に含まれるものとする。
【符号の説明】
【００３２】
１  マルチウィンドウファイル編集装置
１０  ウィンドウ生成ユニット
１１、４１  ファイルローディングユニット
１２  編集ユニット
１３  出力ユニット
１４、５１  マルチウィンドウテンプレート
１５、４５、１５１、４５１  セッション
１６、４６、４６１、１６１  ウィンドウ
１７  ファイル
１８  マルチウィンドウ編集ファイル
１９、４２  マルチウィンドウ再生ファイル
２１、２３  ウィンドウ
３１〜３４  プロセス
４  マルチウィンドウファイル再生装置
４３  再生ユニット
【図１】
2010198588.tif 000003
【図２】
2010198588.tif 000004
【図３】
2010198588.tif 000005
【図４】
2010198588.tif 000006
【図５】
2010198588.tif 000007